(57)【要約】【目的】本発明は、陳列棚等の棚板を本体内に収納した状態を維持するスライドレールのロック装置に関するもので、簡単な構造で、棚板等の寸法の影響を受けず、確実なロック状態が維持され、移動側レールを最も引き出した状態では、ロック部材が移動側レールの前方に飛び出す事がなく、安全に作業を行う事が出来る、スライドレールのロック装置を提供する事を目的とする。【構成】固定側レールに中間レールと移動側レールが収納された状態をロックするロック姿勢と、固定側レールに対して中間レールと移動側レールが前方に摺動可能なロック解除姿勢に変移可能に、ロック部材が、中間レールの先端部に、上下方向に回動自在に設けられているものである。【選択図】　図２
2004008308.tif 000002
【特許請求の範囲】
【請求項１】
陳列棚等の本体に固定される固定側レールと、固定側レールに対し摺動自在に配設された中間レールと、中間レールに対し摺動自在に配設された移動側レールよりなるスライドレールにおいて、固定側レールに中間レールと移動側レールが収納された状態をロックするロック姿勢と、固定側レールに対して中間レールと移動側レールが前方に摺動可能なロック解除姿勢に変移可能に、ロック部材が、中間レールの先端部に、上下方向に回動自在に設けられている事を特徴とするスライドレールのロック装置。
【請求項２】
ロック部材は、移動側レールが中間レールに収納された状態で、移動側レールに形成された移動側レールストッパーに外側から係止する移動側レール係止部と、移動側レールが中間レールと共に固定側レールに収納された状態で固定側レールに形成された中間レールストッパーに内側から係止する中間レール係止部を有する事を特徴とする請求項１に記載のスライドレールのロック装置。
【請求項３】
移動側レールストッパーは、移動側レール収納時ストッパーを兼用し、中間レールストッパーは中間レール伸長時ストッパーを兼用している事を特徴とする請求項２に記載のスライドレールのロック装置。
【請求項４】
ロック部材は、中間レールに対して移動側レールが摺動可能状態である時、移動側レールストッパーと中間レールストッパーの係止位置から変移した移動側レール係止部と中間レール係止部を、変移位置に維持させる変移状態維持部を有する事を特徴とする請求項２又は請求項３に記載のスライドレールのロック装置。
【請求項５】
移動側レール係止部は、上下方向に対応して一対形成され、中間レールに対して移動側レールが摺動可能状態である時、移動側レールストッパーと中間レールストッパーの係止位置から変移した位置を維持させる変移状態維持部が、下側の移動側レール係止部で兼用している事を特徴とする請求項２又は請求項４に記載のスライドレールのロック装置。
【請求項６】
変移状態維持部は、移動側レールが中間レールに収納された状態で、移動側レールの一部が嵌入可能で、移動側レールの移動によるロック部材の上方への回動が阻止される嵌入部を有する事を特徴とする請求項５に記載のスライドレールのロック装置。
【請求項７】
ロック部材は、移動側レールが中間レールと共に固定側レールに収納された状態で、固定側レールに形成された中間レールストッパーに内側から係止する中間レール係止部と、中間レール係止部が、中間レールストッパーの係止位置から変移した位置を維持させる変移状態維持部を有し、変移状態維持部は、移動側レールが中間レールに収納された状態で、移動側レールの一部が嵌入可能で、移動側レールの前方への移動によるロック部材の上方への回動が阻止される嵌入部を有する事を特徴とする請求項１に記載のスライドレールのロック装置。
【請求項８】
中間レールストッパーは中間レール伸長時ストッパーを兼用している事を特徴とする請求項７に記載のスライドレールのロック装置。
【発明の詳細な説明】
【０００１】
【産業上の利用分野】
本発明は、陳列棚等の棚板類を本体内に収納した状態を維持するスライドレールのロック装置に関するものである。
【０００２】
【従来の技術】
従来、抽斗あるいは陳列棚の棚板類を本体内に収納した状態で維持するスライドレールとして、固定側レールの端部を内方に折り曲げて形成した抜止ストッパーに弾性体からなる山形の係合突部を有するはね返り防止部材をとりつけ、該係合突部を移動側レールの端部を内方に折り曲げてもうけたストッパーに係合せしめる事により、移動側レールが固定側レールに最も収納された状態を維持したり（例えば、実開昭５７ー１８９４５０号）、あるいは、固定側レールの基板の後端の一部を弾性を付与して移動側レール側に突出せしめてはね返り防止突片を形成すると共に、移動側レールの後端内面にはね返り防止突片の後端が弾性的に当接するストッパー部を形成したもの（実開昭６０ー１８７６３３号）が提供されてきた。
【０００３】
しかし、これらはいずれも、移動側レールが固定側レールに収納された状態で、移動側レールが弾性的に固定側レールと係止されているだけであるので、輸送途中、あるいは地震等で本体が、傾いたり揺動したりすると、不測に棚板等が飛び出す恐れがあった。
【０００４】
この為、固定側レールの後端部に収納時ストッパーを上方に突出せしめ、移動側レールの後端部に移動側レールが最も収納された状態で、前記収納時ストッパーの後端に係止するストッパー部材を回動自在に設け、ストッパー部材に回動操作軸を連設せしめ、回動操作軸の先端を移動側レールの前端部まで延出せしめ、移動側レールの前側で回動操作軸を回動させる事によりを収納時ストッパーとストッパー部材の係止状態を解除する手段も提供されてきた（実公昭６２ー８７６１号）が、部品点数が多く、又製作上スライドレール自体に溶接等の加工が必要となり、コストアップの要因となっていた。
【０００５】
そして、近年、上記欠点を解決する方法として、移動側レールの収納時、固定側レール前端ストッパーが係合する係合孔が形成された案内傾斜片と案内傾斜片の前端に連設され、移動側レールの前方に突出する操作突片が、弾性を有する材料にて一体に形成された移動側レールロック部材を、移動側レールの先端部に設けたものが提供されてきた。（特開２００１−１９０３４７号）
これは、部品点数も少なく安価に製作出来る反面、移動側レールを最も引き出した状態で、操作突片が前方に飛び出した状態となるので、商品の補充や商品の配置がえ、あるいは、その他様々な作業を行う時に、飛び出した操作突片に衣服を引っ掛けたり、或いは、ロック部材を破損させたりする事があった。
【０００６】
さらに、係合孔と固定側レール前端ストッパーの係合はスライドレールの厚み方向で係合する構成となっているので、引出し或いは棚板の幅寸法が小さめに形成されていると、棚板等と連結された左右の移動側レールは、互いに内側方向に引きつけられ（固定側レールと移動側レールが所定寸法より若干離間する）、係合孔と固定側レール前端ストッパーの係合状態が一定せず、場合によっては、ロックがかからないと云う問題があった。
【０００７】
【発明が解決しようとする課題】
本発明は、上記欠点を解決する事を課題とし、簡単な構造で、棚板等の寸法の影響を受けず、確実なロック状態が維持され、移動側レールを最も引き出した状態では、ロック部材が移動側レールの前方に飛び出す事がなく、安全に作業を行う事が出来る、スライドレールのロック装置を提供する事を目的とする。
【０００８】
【課題を解決する為の手段】
上記課題を解決する為、本発明が手段とする第１の特徴は、陳列棚等の本体に固定される固定側レールと、固定側レールに対し摺動自在に配設された中間レールと、中間レールに対し摺動自在に配設された移動側レールよりなるスライドレールにおいて、固定側レールに中間レールと移動側レールが収納された状態をロックするロック姿勢と、固定側レールに対して中間レールと移動側レールが前方に摺動可能なロック解除姿勢に変移可能に、ロック部材が、中間レールの先端部に、上下方向に回動自在に設けられているものである。
【０００９】
次に本発明が手段とする第２の特徴は、上記第１の特徴に加え、ロック部材は、移動側レールが中間レールに収納された状態で、移動側レールに形成された移動側レールストッパーに外側から係止する移動側レール係止部と、移動側レールが中間レールと共に固定側レールに収納された状態で固定側レールに形成された中間レールストッパーに内側から係止する中間レール係止部を有するものである。
【００１０】
次に本発明が手段とする第３の特徴は、上記第２の特徴に加え、移動側レールストッパーは、移動側レール収納時ストッパーを兼用し、中間レールストッパーは中間レール伸長時ストッパーを兼用しているものである。
【００１１】
次に本発明が手段とする第の４特徴は、上記第３の特徴に加え、　ロック部材は、中間レールに対して移動側レールが摺動可能状態である時、移動側レールストッパーと中間レールストッパーの係止位置から変移した移動側レール係止部と中間レール係止部を、変移位置に維持させる変移状態維持部を有するものである。
【００１２】
次に本発明が手段とする第５の特徴は、上記第４の特徴に加え、移動側レール係止部は、上下方向に対応して一対形成され、中間レールに対して移動側レールが摺動可能状態である時、移動側レールストッパーと中間レールストッパーの係止位置から変移した位置を維持させる変移状態維持部が、下側の移動側レール係止部で兼用しているものである。
【００１３】
次に本発明が手段とする第６の特徴は、上記第５の特徴に加え、移状態維持部は、移動側レールが中間レールに収納された状態で、移動側レールの一部が嵌入可能で、移動側レールの移動によるロック部材の上方への回動が阻止される嵌入部を有するものである。
【００１４】
次に本発明が手段とする第７の特徴は、上記第１の特徴に加え、ロック部材は、移動側レールが中間レールと共に固定側レールに収納された状態で、固定側レールに形成された中間レールストッパーに内側から係止する中間レール係止部と、中間レール係止部が、中間レールストッパーの係止位置から変移した位置を維持させる変移状態維持部を有し、変移状態維持部は、移動側レールが中間レールに収納された状態で、移動側レールの一部が嵌入可能で、移動側レールの前方への移動によるロック部材の上方への回動が阻止される嵌入部を有するものである。
【００１５】
次に本発明が手段とする第８の特徴は、上記第７の特徴に加え、中間レールストッパーは中間レール伸長時ストッパーを兼用しているものである。
【００１６】
【実施例】
スライドレールの基本的構成を（図７）に基づいて説明する。　スライドレール１００は、陳列棚等の本体の内面に連結ネジ等で連結される固定側レール１と、固定側レール１に対し、ボール保持板３に回転自在に保持された複数個のボール３０・・・を介して摺動自在に設けられた中間レール４と、中間レール４に対し、ボール保持板５に回転自在に保持された複数個のボール５０・・・を介して摺動自在に設けられた移動側レール２より構成され、移動側レール２が固定側レール１に収納された状態を保持するロック部材６が、中間レール４の、固定側レール１側の内面前端部に設けられている。
【００１７】
固定側レール１は、金属製の細長条板の短手両端部を外向き円弧状に折り曲げて形成された内面長手方向（摺動方向）にボール案内溝を有する折曲縁１１、１１と、基板１２より断面略Ｃ字形をなし、摺動方向前端部に、基板１２の一部が移動側レール２方向に突出し、中間レール４等を介して、移動側レール２を最大引き出した状態で停止させ、スライドレール１００を最大伸長となす移動側レール伸長時ストッパー１３（中間レールストッパー１３０）と、摺動方向後端部に、基板１２を移動側レール２方向に突出し、中間レール４等を介して、移動側レール２が最も収納された状態で停止させ、スライドレール１００を最大縮小状態となす固定側レール後端ストッパー（図示せず。）が形成されている。
【００１８】
移動側レール２は、固定側レール１とほぼ同等の長さで、金属製の細長条板の短手両端部を外向き円弧状に折り曲げて形成された内面長手方向（摺動方向）にボール案内溝を有する折曲縁２１、２１と、基板２２より固定側レール１に対向する断面略Ｃ字形に形成されている。
そして、基板２２の前端部には、前記固定側レール１方向に突出し、移動側レール２の収納時に中間レール４の前端に当接する移動側レール収納時ストッパー２２１（移動側レールストッパー２２０）が形成され、基板２２の後端部には、スライドレール１００の最大伸長状態でボール保持板５の後端に当接する移動側レール後端ストッパー（図示せず。）が形成されている。
【００１９】
中間レール４は、帯状金属板にて上記固定側レール１と移動側レール２とに挿入可能な大きさに形成されている。
すなわち、金属製の細長条板の短手両端部を内向き円弧状に折り曲げて形成された上下折曲縁４２、４２と基板４１からなる断面略Ｃ字形に形成された２つの部材が、背中合わせで、摺動方向にずらして固着された、上下左右両折曲縁４２、４２、４３、４３を有する断面略Ｉ字形で、固定側レール１及び移動側レール２とほぼ同長に形成されている。
【００２０】
そして、中間レール４の基板４１の後端部に固定側レール１側に突出し、移動側レール２の引き出し時、ボール保持板３の後端部に当接し、移動側レール２の収納時、固定側レール１の固定側レール後端ストッパー（図示せず。）の内面に当接する中間レール後端ストッパー（図示せず。）が形成され、基板４１の前端部に移動側レール２側に突出し、移動側レール２の引き出し時、ボール保持板５の前端部が内面に当接し、移動側レール２の収納時、前記収納時ストッパー２２１の内面が当接する中間レール前端ストッパー４４が形成されている。
【００２１】
ボール保持板３は帯条金属板にて中間レール４より所定寸法短くした、固定側レール１と中間レール４間に挿入可能な大きさの基板３１と、固定側レール１と中間レール４の各折曲縁１１、１１、４２、４２間に位置する突出縁３２、３２より断面略コ字形に形成され、突出縁３２、３２の長手方向（摺動方向）数個所でボール３０・・・を回転自在に保持している。
【００２２】
ボール保持板５は帯条金属板にて中間レール４より所定寸法短くした、移動側レール２と中間レール４間に挿入可能な大きさの基板５１と、移動側レール２と中間レール４の各折曲縁２１、２１、４３、４３間に位置する突出縁５２、５２より断面略コ字形に形成され、突出縁５２、５２の長手方向（摺動方向）数個所でボール５０・・・を回転自在に保持している。
【００２３】
スライドレール１００は上記の如く構成され、移動側レール２が固定側レール１に最も収納された状態（中間レール後端ストッパーが固定側レール１の後端ストッパーの内面に当接し、移動側レール２の収納時ストッパー２２１が中間レール前端ストッパー４４の内面に当接した状態）から、移動側レールロック部材６のロック状態を解除して、移動側レール２を前方に引き出していくと、移動側レール２の移動距離の２分の１ボール保持板５は移動し、中間レール４の移動距離の２分の１ボール保持板３は移動する事により、ボール保持板５の前端が中間レール４の中間レール前端ストッパー４４の内面に当接し、同時に移動側レール後端ストッパーの内面がボール保持板５の後端に当接し、ボール保持板３の前端が、固定側レール１の移動側レール伸長時ストッパー１３の内面に当接し、中間レール４の中間レール後端ストッパーの内面がボール保持板３の後端に当接して、移動側レール２は最大次に伸長状態で停止する。
【００２４】
次に、第１実施例を図１〜図６に基づいて説明する。
第１実施例のロック部材６は、中間レール４の基板４１の先端部で固定側レール１側内面に、取付孔６０、取付ピン６００等を介して回動自在に連結される取付基板６１と、取付基板６１の前方に連設され、中間レール４の前方に突出する操作用突片６２と、固定側レール１の基板１２方向に突出して、取付基板６１の後端上下端部に連設された中間レール係止部６３、６３と、中間レール係止部６３、６３の所定寸法前方で、移動側レール２の基板方向に突出して、取付基板６１の上下端部に連設された移動側レール係止部６４、６４と、移動側レール２の折曲縁２１、２１方向に突出して移動側レール係止部６４、６４の端部側に連設された変移状態維持部６５、６５より形成されている。
符号６５０、６５０は、ロック部材６の前部が移動側レール２の前方に突出した時、移動側レール２の下側の折曲縁２１の前端内面に当接して、ロック部材６が必要以上下方に回動するのを防止する回動規制部を示している。
上記、中間レール係止部６３、６３、移動側レール係止部６４、６４、変移状態維持部６５、６５、回動規制部６５０、６５０が上下方向に一対設けられているのは、ロック部材６を取りつけた同一のスライドレール１００を左右兼用で使用するためである。
【００２５】
中間レール係止部６３、６３の間隔は移動側レール伸長時ストッパー１３の高さ寸法よりやや大き目の寸法に形成され、中間レール４が移動側レール２と共に固定側レール１に収納されて、下方の変移状態維持部６５が移動側レール２の前端より前方に突出する事でロック部材６が、自重によって、下方に回動した時、上方の中間レール係止部６３の前端部が、移動側レール伸長時ストッパー１３の上端部内面に係止するよう構成されている。
すなわち、実施例では、中間レール係止片６３の前端部が係止する中間レールストッパー１３０を新たに固定側レール１に形成するのではなく、スライドレール１００の基本構造の一部として設けられている移動側レール伸長時ストッパー１３が中間レールストッパー１３０を兼用している。
【００２６】
移動側レール係止部６４、６４の間隔は、収納時ストッパー２２１の高さ寸法よりやや大き目の寸法に形成され、移動側レール２が中間レール４に収納されて、下方の変移状態維持部６５が移動側レール２の前端より前方に突出する事でロック部材６が、自重によって下方に回動した時、上方の移動側レール係止部６４の後端部が、移動側レール収納時ストッパー２２１の上端部内面に係止するよう構成されている。
すなわち、実施例では、上方の移動側レール係止片６４の前端部が係止する移動側レールストッパー２２０を新たに固定側レール１に形成するのではなく、スライドレール１００の基本構造の一部として設けられている移動側レール収納時ストッパー２２１が移動側レールストッパー２２０を兼用している。
【００２７】
ロック部材６が所定範囲下方に回動して、上側の中間レール係止部６３の前端が固定側レール１の中間レールストッパーの上部内面に係止し、同時に、上側の移動側レール係止部６４の後端が移動側レール２の移動側レールストッパーの外面に係止した状態（図３に示す状態）から、操作用突片６２を指先で上方に回動して、上側の中間レール係止部６３と上側の移動側レール係止部６４を上方に移動させた（係止位置を変移させた）後、移動側レール２を前方に摺動させた状態で、操作突片６２から指先を放しても、移動側レール２の下側の折曲縁２１の内面に下側の変移状態維持部６５の下端が当接し、中間レール係止部６３と移動側レール係止部６４の変移位置は維持される。
この状態で、固定側レール１に対し、中間レール４、移動側レール２は相互に摺動自在となる。
【００２８】
第１実施例のロック部材６は上記の如く形成され、移動側レール２が最大伸長状態（引出し、棚板等が最も引き出された状態）から移動側レール２を収納していくと、固定側レール１に対して中間レール４が先に収納されたり、或いは、中間レール４に対し移動側レール２が先に収納されたり、さらには、移動側レール２の中間レール４に対する収納と、固定側レール１に対する中間レール４の収納が同時に行われたりする。
【００２９】
しかしながら、中間レール４に対する移動側レール２の収納が完了しない限り、変移状態維持部６５の下端が移動側レール２の下側の折曲縁２１の内面に当接しているので、ロック部材６は下方に回動せず（図６に示す状態）、中間レール４に移動側レール２が収納された時点で、変移状態維持部６５の下端が移動側レール２の下側の折曲縁２１の前方に位置し（図３に示す状態）下方に回動して、上側の移動側レール係止部６４の後端が移動側レールストッパー２２１（移動側レール収納時ストッパー２２０）の前側に係止する。
【００３０】
この状態で、移動側レール２は中間レール４に対して、摺動する事がない。
次に、移動側レール係止部６４の後端が移動側レールストッパー２２１（移動側レール収納時ストッパー２２０）の前側に係止した状態で。中間レール４と移動側レール２が固定側レール１に収納されると、固定側レール１の移動側レール伸長時ストッパー１３（中間レールストッパー１３０）の上端に、後方が上方に傾斜した中間レール係止部６３の下面が接触して、中間レールの移動と共に、ロック部材６を上方に回動させながら、収納方向に移動し、中間レール係止部６３が移動側レール伸長時ストッパー１３（中間レールストッパー１３０）を通過して、ロック部材６が下方に回動して、移動側レール伸長時ストッパー１３（中間レールストッパー１３０）の上部内面に上側の中間レール係止部６３が係止し、中間レール４と移動側レール２は固定側レール１にロック状態となり、ロック部材７を操作しない限り、中間レール４と移動側レール２は摺動しない。
【００３１】
次に第２実施例を図８〜図１３に基づいて説明する。
第２実施例のロック部材７は、中間レール４の基板４１の先端部で固定側レール１側内面に、取付孔７０、取付ピン７００等を介して回動自在に連結される取付基板７１と、取付基板７１の前方に連設され、中間レール４の前方に突出する操作用突片７２と、固定側レール１の基板１２方向に突出して、取付基板７１の後端上下端部に連設された中間レール係止部７３、７３と、中間レール係止部７３、７３の所定寸法前方で、移動側レール２の基板方向に突出し、さらに、移動側レール２の折曲縁２１、２１方向に突出して形成された変移状態維持部７５、７５より形成されている。
【００３２】
そして、変移状態維持部７５、７５には移動側レール２が中間レール４に収納された状態で、移動側レール２の下側の折曲縁２１の前端が嵌入可能で、移動側レール２の移動によるロック部材７の上方への回動を阻止する嵌入部７５１、７５１が形成されている。
上記、中間レール係止部７３、７３、変移状態維持部７５、７５が上下方向に一対設けられているのは、ロック部材７を取りつけた同一のスライドレール１００を左右兼用で使用するためである。
【００３３】
中間レール係止部７３、７３の間隔は、移動側レール伸長時ストッパー１３の高さ寸法よりやや大き目の寸法に形成され、中間レール４が移動側レール２と共に固定側レール１に収納されて、下方の変移状態維持部７５が移動側レール２の前端より前方に突出する事でロック部材７が、自重によって、下方に回動した時、上方の中間レール係止部７３の前端部が、移動側レール伸長時ストッパー１３の上端部内面に係止するよう構成されている。
すなわち、実施例では、中間レール係止片７３の前端部が係止する中間レールストッパー１３０を新たに固定側レール１に形成するのではなく、スライドレール１００の基本構造の一部として設けられている移動側レール伸長時ストッパー１３が中間レールストッパー１３０を兼用している。
【００３４】
ロック部材７が、所定範囲下方に回動して、上側の中間レール係止部７３の前端が固定側レール１の中間レールストッパー１３０の上部内面に係止し、移動側レール２の下側の折曲縁の前端が嵌入部７５１に嵌入した状態（図１０に示す状態）から、操作用突片７２を指先で上方に回動して、上側の中間レール係止部７３を上方に移動させた（係止位置を変移させた）後、移動側レール２を前方に摺動させた状態で、操作突片７２から指先を放しても、移動側レール２の下側の折曲縁２１の内面に下側の変移状態維持部７５の下端が当接し、中間レール係止部７３の変移位置は維持される。
この状態で、固定側レール１に対し、中間レール４、移動側レール２は相互に摺動自在となる。
【００３５】
第２実施例のロック部材７は上記の如く形成され、移動側レール２が最大伸長状態（引出し、棚板等が最も引き出された状態）から移動側レール２を収納していくと、固定側レール１に対して中間レール４が先に収納されたり、或いは、中間レール４に対し移動側レール２が先に収納されたり、さらには、移動側レール２の中間レール４に対する収納と、固定側レール１に対する中間レール４の収納が同時に行われたりする。
【００３６】
しかしながら、中間レール４に対する移動側レール２の収納が完了しない限り、変移状態維持部７５の下端が移動側レール２の下側の折曲縁２１の内面に当接しているので、ロック部材７は下方に回動しない。（図１３に示す状態）
すなわち、中間レール４に移動側レール２が収納された時点で、変移状態維持部７５の下端が移動側レール２の下側の折曲縁２１の前方に位置し（図１２に示す状態）、同時にロック部材７は下方に回動して、嵌入部７５１に移動側レール２の折曲縁２１の前端が嵌入する。
【００３７】
この状態で、移動側レール２は中間レール４に対して、摺動する事がない。
次に、嵌入部７５１に移動側レール２の折曲縁２１の前端が嵌入した状態で、中間レール４と移動側レール２が固定側レール１に収納されると、固定側レール１の移動側レール伸長時ストッパー１３（中間レールストッパー１３０）の前端に、後方が上方に傾斜した中間レール係止部７３の下面が接触して、中間レールの移動と共に、ロック部材７を上方に回動させながら、収納方向に移動し、中間レール係止部７３が移動側レール伸長時ストッパー１３（中間レールストッパー１３０）を通過して、ロック部材７が下方に回動して、移動側レール伸長時ストッパー１３（中間レールストッパー１３０）の上部内面に上側の中間レール係止部７３が係止し、中間レール４と移動側レール２は固定側レール１にロック状態となり、ロック部材７を操作しない限り、中間レール４と移動側レール２は摺動しない。
【００３８】
【発明の効果】
特許請求の範囲の請求項１に記載の発明によれば、ロック部材が中間レールの先端部に上下方向に回動自在に設けられているので、移動側レールが最もひきだされた状態では、移動側レールの前方にロック部材が突出する事がないので、商品の補充や、商品の配置変えなど、陳列棚の棚板等を最も引き出した状態で（移動側レールが最もひきだされた状態で）、様々な作業を行う場合でもロック部材が全く邪魔にならず、又、収納された状態では、ロック部材の一部がスライドレールより突出するので、ロック状態を解除する作業が容易であり、しかも、上下方向の回動によって、ロック状態と非ロック状態が選択されるので、係止範囲を大きくとる事が可能となり、製作誤差によって、棚板等の内寸が小さめ目に形成されて、左右の移動側レール、中間レールが内側に引き寄せられていても、係止状態に影響をおよぼす事がなく、安定したロック状態を得る事ができる。
【００３９】
特許請求の範囲の請求項２に記載の発明によれば、上記効果に加え、ロック部材を中間レール取付、ロック部材に、固定側レールと移動側レールに係止する、中間レール係止部と、移動側レール係止部を設けているので、部材点数の削減を計る事が可能で、安価に製作できる。
【００４０】
特許請求の範囲の請求項３に記載の発明によれば、移動側レール前端ストッパーと中間レール伸長時ストッパーを、移動側レールストッパーと中間レールストッパーを兼用しているので、更に部材点数の削減を計る事が出来、スライドレール全体のコスト削減も可能となる。
【００４１】
特許請求の範囲の請求項４に記載の発明によれば、中間レールと移動側レールが摺動可能状態である時、ロック部材を非ロック姿勢とする変移状態維持部をロック部材に有しているので、常に、ロック部材の前部が移動側レールより突出した状態でない限り（移動側レールが中間レールにロック状態とならない限り）、中間レールと固定側レールはロック状態とならないので、ロック部材を解除姿勢に操作する時は、ロック部材は常に指先のとどき易い視認出来る位置にあり操作が非常に容易である。
【００４２】
特許請求の範囲の請求項５に記載の発明によれば、下側の移動側レール係止部が変移状態維持部をを兼用しているので、さらに構造が簡単で安価に製作できる。
【００４３】
特許請求の範囲の請求項６に記載の発明によれば、上記効果に加え、変移状態維持部に移動レールの一部が嵌入する嵌入部を形成しているので、移動側レールのより確実なロック状態を得ることが出来る。
【００４４】
特許請求の範囲の請求項７に記載の発明によれば、請求項１の効果に加え、変移状態維持部に移動側レールの一部が嵌入し、移動側レールの前方への移動によるロック部材の上方への回動を阻止する嵌入部を設けているので、ロック部材の構成要素が少なくてすみ、構造が簡単で安価に製作でき、移動側レールの確実なロック状態を得る事ができる。
【００４５】
特許請求の範囲の請求項８に記載の発明によれば、上記効果に加え、中間レール伸長時ストッパーと中間レールストッパーを兼用しているので、更に部材点数の削減を計る事が出来、スライドレール全体のコスト削減も可能となる。
【図面の簡単な説明】
【図１】本発明の第１実施例のロック部材の斜視図である。
【図２】第１実施例の要部斜視図
【図３】ロック状態を示す第１実施例の要部側面図
【図４】図３のＡ部拡大図
【図５】ロック解除状態を示す第１実施例の要部側面図
【図６】移動側レールと中間レールが摺動状態の第１実施例の要部側面図。
【図７】図６のＢ−Ｂ線拡大断面図
【図８】本発明の第２実施例のロック部材の斜視図である。
【図９】第２実施例の要部斜視図
【図１０】ロック状態を示す第２実施例の要部側面図
【図１１】図１０のＣ部拡大図
【図１２】ロック解除状態を示す第２実施例の要部側面図
【図１３】移動側レールと中間レールが摺動状態の第１実施例の要部側面図。
【符号の説明】
１　　　　　　　　固定側レール
１１　　　　　　　折曲縁
１２　　　　　　　基板
１３（１３０）　　中間レール伸長時ストッパー（中間レールストッパー）
１００　　　　　　スライドレール
２　　　　　　　　移動側レール
２１　　　　　　　折曲縁
２２　　　　　　　基板
２２１（２２０）　移動側レール収納時ストッパー（移動側レールストッパー）６　　　　　　　　第１実施例のロック部材
６１　　　　　　　取付基板
６２　　　　　　　操作用突片
６３　　　　　　　中間レール係止部
６４　　　　　　　移動側レール係止部
６５　　　　　　　変移状態維持部
６５１　　　　　　嵌入部
【図１】
2004008308.tif 000003
【図２】
2004008308.tif 000004
【図３】
2004008308.tif 000005
【図４】
2004008308.tif 000006
【図５】
2004008308.tif 000007
【図６】
2004008308.tif 000008
【図７】
2004008308.tif 000009
【図８】
2004008308.tif 000010
【図９】
2004008308.tif 000011
【図１０】
2004008308.tif 000012
【図１１】
2004008308.tif 000013
【図１２】
2004008308.tif 000014
【図１３】
2004008308.tif 000015